(57)【要約】  【課題】屋外での仮設の会場であっても、より満足感の高い音響効果を得る。  【解決手段】音声を流すイベントの会場施設であって、会場の上方に間隔をあけて設置した複数の指向性スピーカーを備える。指向性スピーカーは、下方向に音声を発生するように配置されている。会場の周囲の少なくとも一部には、スリット状の排出口から空気を排出し、音漏れを抑制するためのエアーシャッターが設けられていてもよい。地表面に吸音材が設けられていてもよい。【選択図】  図１
2018107678.tif 000002
【特許請求の範囲】
【請求項１】
音声を主体とする屋外イベントの会場施設であって、
前記会場の上方に間隔をあけて設置した複数の指向性スピーカーを備え、
前記指向性スピーカーは、
下方向に音声を発生するように配置されている
ことを特徴とする会場施設。
【請求項２】
請求項１に記載の会場施設であって、
前記会場の周囲の少なくとも一部には、スリット状の排出口から空気を排出し、音漏れを抑制するためのエアーシャッターが設けられている
ことを特徴とする会場施設。
【請求項３】
請求項１または２に記載の会場施設であって、
地表面に設置した吸音材を備える
ことを特徴とする会場施設。
【請求項４】
請求項１〜３のいずれか一項に記載の会場施設であって、
前記会場施設は、複数の異なる演目を行うステージを有し、
前記複数の指向性スピーカーの各々は、各ステージに対応づけられており、対応づけられているステージで取得された音声を出力する
ことを特徴とする会場施設。
【請求項５】
請求項４に記載の会場施設であって、
各ステージに対応づけられた聴衆の領域の境付近の吸音材は、他の場所の吸音材に比べて、吸音効果が高く設置されている
ことを特徴とする会場施設。
【請求項６】
請求項４または５に記載の会場施設であって、
各ステージに対応づけられた聴衆の領域の境付近の前記指向性スピーカーの音量が、他の場所の指向性スピーカーの音量と異なるように制御される
ことを特徴とする会場施設。
【請求項７】
請求項４〜６のいずれか一項に記載の会場施設であって、
前記複数の異なる演目を行うステージは、互いに隣接している
ことを特徴とする会場施設。
【請求項８】
請求項１〜７のいずれか一項に記載の会場施設であって、
前記会場は、集合住宅の間の広場または休閑地に設置できる屋外仮設会場である
ことを特徴とする会場施設。
【請求項９】
請求項１〜８のいずれか一項に記載の会場施設であって、
前記会場までの通路に指向性スピーカーを設置し、前記会場に誘導するための音声を出力することを特徴とする会場施設。
【請求項１０】
音声を流すイベントの会場施設の設置方法であって、
前記会場の上方に間隔をあけて複数の指向性スピーカーを、下方向に音声を発生するように配置する
ことを特徴とする会場施設の設置方法。
【発明の詳細な説明】
【技術分野】
【０００１】
本発明は、イベントの会場施設及びその設置方法に関する。
【背景技術】
【０００２】
音楽のライブ演奏などの音声を大勢の聴衆に届けるために、音声を増幅してスピーカーで流すことが行われる。予め音響施設が備わっている会場であれば、その会場に合わせたスピーカーが設置されており、聴衆に適した音量で音声を出力することが可能である。また、防音設備を施した建物の中に会場が設置されていれば、会場の外への音漏れは効果的に抑制することができる。
【０００３】
他方、昨今の自治体政策や地域興しの時勢を受け、中小規模公園や遊閑地、或いは集合住宅に囲まれた公共広場などを利用して、音楽のライブ演奏などの音の出るイベントが出来ないかとの模索が為されており、文献１には、屋外用の劇場システムが開示されている。
【先行技術文献】
【特許文献】
【０００４】
【特許文献１】特開２００３−２０９９００号公報
【発明の概要】
【発明が解決しようとする課題】
【０００５】
コンサートホールなどの音響専用の建物とは異なり、屋外に仮設する会場では、十分な音響効果を得ることが難しく、加えて音の伝播の特性上、聴衆各自の居場所によっても音響効果が異なる為、聴衆が等しく満足できるものではなかった。また、音漏れや歓声など、オープンスペース故に防ぎ難い問題が近所迷惑となることもあった。
【０００６】
本発明は、屋外イベント、とりわけ音声を主体とするイベントにおいて、前記の様々な問題点を解消し、屋外での仮設の会場により満足感の高い音響効果を得ることを目的とする。
【課題を解決するための手段】
【０００７】
上記課題を解決するために、本願発明は例えば、
音声を主体とする屋外イベントの会場施設であって、
前記会場の上方に間隔をあけて設置した複数の指向性スピーカーを備え、
前記指向性スピーカーは、下方向に音声を発生するように配置されていることを特徴とする。
【０００８】
前記会場の周囲の少なくとも一部には、スリット状の排出口から空気を排出し、音漏れを抑制するためのエアーシャッターが設けられていてもよい。
前記会場施設は、地表面に設置した吸音材を備えていてもよい。
前記会場施設は、複数の異なる演目を行うステージを有し、
前記複数の指向性スピーカーの各々は、各ステージに対応づけられており、対応づけられているステージで取得された音声を出力するようにしてもよい。
各ステージに対応づけられた聴衆の領域の境付近の吸音材は、他の場所の吸音材に比べて、吸音効果が高く設置されていてもよい。
各ステージに対応づけられた聴衆の領域の境付近の前記指向性スピーカーの音量が、他の場所の指向性スピーカーの音量と異なるように制御されてもよい。
前記複数の異なる演目を行うステージは、互いに隣接していてもよい。
前記会場は、集合住宅の間の広場または休閑地に設置できる屋外仮設会場であってもよい。
前記会場までの通路に指向性スピーカーを設置し、前記会場に誘導するための音声を出力してもよい。
【０００９】
また、例えば、音声を流すイベントの会場施設の設置方法であって、
前記会場の上方に間隔をあけて複数の指向性スピーカーを、下方向に音声を発生するように配置することを特徴としてもよい。
【発明の効果】
【００１０】
本発明によれば、屋外での仮設の会場であっても、より満足感の高い音響効果を得ることができる。
【図面の簡単な説明】
【００１１】
【図１】第一の実施形態に係る会場施設の平面図である。
【図２】第一の実施形態に係る会場施設の側面図である。
【図３】指向性スピーカーの設置方法を説明するための図である。
【図４】第二の実施形態に係る会場施設の平面図である。
【発明を実施するための形態】
【００１２】
本発明が適用された例である実施形態について、以下、図に基づいて説明する。
【００１３】
＜第一の実施形態＞
図１は、第一の実施形態に係る会場施設１０の平面図である。図２は、第一の実施形態に係る会場施設１０の側面図である。図３は、指向性スピーカー２０の設置方法を説明するための図である。
【００１４】
本実施形態の会場施設１０は、マンションなどの集合住宅の建物Ｔの間の広場Ｐに設置される屋外の仮設会場である。
【００１５】
昨今、住宅の間の空間を、緊急避難場所として広場のまま確保しておいたり、大規模マンションなどでは、マンション棟で取り囲んだ空間を、住民たちの共用スペースとして開放していたりする例が多い。しかし、いずれも住宅に囲まれた空間であるため、その用途が限られ、平時はせいぜい盆踊り会場やフリーマッケット会場に用いられるか、多くの場合は何も使用されず放置されている。本実施形態の会場施設１０は、このような住宅の間の広場や遊閑地（休閑地）などの空間を利用して設置することが可能な、音声を主体としたイベントにおいて効果的な音響を提供する屋外用仮設会場設備である。
【００１６】
会場施設１０は、会場の上方に設けられた複数の指向性スピーカー２０と、地表面に設けられた吸音材３０と、会場の周囲に設けられたエアーシャッター３５とを備えている。
【００１７】
会場施設１０には、ほぼ中央に、ショー（演奏、演技、口演などの演目）が行われるステージ１２が設けられ、ショーの音声は、指向性スピーカー２０から出力される。
【００１８】
・指向性スピーカー
指向性スピーカー２０は、音の射出方向を制限して、限られたエリアに向けて音声を出力するスピーカーである。
【００１９】
既存の指向性スピーカーには、（１）スピーカーの前にラッパ上のホーンを付けたもの、（２）同じサイズのユニットを縦に並べて、音波面の干渉を利用して上下方向の指向性を高めたもの、（３）超音波トランスデューサーを複数個ならべたユニットからなり、超音波を音声信号で変調し、伝送経路の非線形性を利用して復調する、パラメトリックスピーカーと呼ばれるもの、などがある。これらの中でも、パラメトリックスピーカーは、パラメトリックアレイから出た超音波の直進性が高く、指向性が強くなるため、本実施形態において好ましく使用することができる。
【００２０】
図２、図３に示すように、指向性スピーカー２０は、会場の端から端に渡された渡し部材２５に取り付けられている。
【００２１】
渡し部材２５は、その両端が、建物や支柱に取り付けられる。渡し部材２５は、スチール等の金属の棒部材であってもよいし、ひも状（ケーブル状）のものであってもよい。
【００２２】
指向性スピーカー２０は、下方向に、すなわち、地表面に向かって音声出力する方向に設置される。これにより、各指向性スピーカー２０において、主に真下に位置する人にのみ音声が届くようにすることができ、またスピーカーの焦点距離の調整によって音の届く範囲を自在に拡大縮小することもできる。
【００２３】
図３に示すように、地表から３〜６ｍの位置に、水平に、複数の渡し部材２５を平行に設置して、所定間隔で指向性スピーカー２０を設置する。指向性スピーカー２０は、例えば、マトリクス状に設置することができる。
【００２４】
なお、指向性スピーカー２０は、会場内の全ての領域に均等に設置する必要はない。聴衆が集まり易い領域に、複数の指向性スピーカー２０を設置し、聴衆が立ち入らない領域、または、聴衆が集まりにくい領域（例えば、防火設備や遊具のある領域）については、指向性スピーカー２０を設置しないようにしてもよい。そうすれば、無駄な設置作業を避けることができる。
【００２５】
また、指向性スピーカー２０は、音声信号を調整（増幅）させるアンプ機能を備えていてもよい。
【００２６】
・吸音材
図２、図３に示すように、会場の地表面には、吸音材３０が設置されている。
【００２７】
吸音材３０は、指向性スピーカー２０から放出された音を吸収し、反射を抑制するために、会場の地表面に設けられている。地表面での音の反射を抑制することで、音の拡散を防止し、主に各指向性スピーカー２０の真下の人に対してのみ、その指向性スピーカー２０から出される音声を届けることができる。すなわち、会場の外周近辺では、音漏れを抑制することができる。
【００２８】
吸音材３０は、会場の地表面の全体に渡り設けてもよいし、音の反射が起こり易い部分について重点的に、分厚く設置してもよい。音漏れの防止のため、会場の外周近辺については、その他の場所に比べて、吸音効果が高まるように、吸音材３０を分厚く設置してもよい。
【００２９】
吸音材３０は、吸音可能なものであれば特に制限はないが、聴衆の妨げとならないものとして、例えば、人工芝、コルクチップなどを用いることができる。また、吸音材３０として、吸音効果のあるシート（スポンジ状の防音シートなど）が敷かれてもよい。
【００３０】
なお、会場は屋外であるが、地表面は、土であっても良いし、コンクリート、アスファルト、砂利、タイルなどで舗装されていてもよい。地表面が既に吸音する性質を十分に有する場合は、別途、吸音材を設ける必要はない。
【００３１】
・エアーシャッター
図２、図３に示すように、会場の側面には、エアーシャッター３５が設置されている。
【００３２】
エアーシャッター３５は、指向性スピーカー２０と地表面との間で構成される会場空間から外部への音漏れを抑制するために、会場空間の側面に設けられる。具体的には、図３に示すように、会場空間が直方体形状となる場合は、エアーシャッター３５は、４つの側面に設けられる。
【００３３】
エアーシャッター３５は、スリット状の排出口から噴射される空気の流れにより、音の伝播を遮り、音漏れを抑制する。そのため、エアーシャッター３５は、会場空間の高さ（指向性スピーカー２０の設置高さ）に設けられた空気排出装置３５１を備える。空気排出装置３５１は、会場空間の天井面の外周の辺に沿ったスリット状の排出口から、真下方向に空気を排出する機構を備える。なお、空気排出装置３５１から排出された空気を吸引するために、空気排出装置の真下の地表面付近に空気吸引装置３５２を設置してもよい。空気排出装置３５１と空気吸引装置３５２をペアで設置することで、効果的にエアーシャッター３５を構築することができる。
【００３４】
なお、空気の排出方向は、上から下への方向に制限されない。空気排出スリットの長手方向が上下方向になるように設置し、横方向（例えば、右から左）に噴出するようにしてもよい。
【００３５】
エアーシャッター３５は、空気により会場空間を遮蔽するものであり、防音シート等で遮蔽するものではないため、会場への人の出入りが容易である。また、遮光されることもないので、会場内を外と同様の明るさに維持することができる。
【００３６】
なお、全ての側面にエアーシャッター３５を設けるのではなく、一部は防音シートで覆うなど、併用しても良いのは言うまでもない。
【００３７】
・音声出力の仕方
以上のように構成される会場施設１０において、ステージ１２で行われるショーの音声が、アンプやミキサー等を経由した後、指向性スピーカー２０から出力されるように制御する。
【００３８】
会場の外への音漏れ防止のため、指向性スピーカー２０からの音のみが出力されるのが好ましい。そのため、ステージ１２では、演奏しても直接発生する音量が極めて小さい、電気楽器あるいは電子楽器を用いるのが好ましい。具体的には、電気楽器（エレキギター、エレキベース、エレキドラム、電子鍵盤楽器等）から取得した音声信号を、アンプやミキサーを経由させ指向性スピーカー２０から出力させる。歌手や口演者の発する音声は、マイクロフォンにより取得し、アンプやミキサーを経由させ指向性スピーカー２０から出力させることができる。人の発する声であれば、それほど大きな音量ではないので、会場の外への音漏れは大きな問題とならない。
【００３９】
音漏れ防止のため、会場の外周近辺の指向性スピーカー２０からは、会場中央付近の他の指向性スピーカー２０に比べて、小さい音量で出力するようにしても良い。または、最大出力音量を、会場の外周近辺の指向性スピーカー２０については、他の会場中央付近の他の指向性スピーカー２０に比べて、小さくなるように設定してもよい。そうすれば、会場の外への音漏れを効果的に抑制することができる。
【００４０】
以上、本実施形態の会場施設１０について説明した。本実施形態の会場施設１０によれば、集合住宅の広場や遊閑地などを利用した仮設会場であっても、音漏れを防止しつつ、聴取にショーの音声を十分に届けることが可能となる。
【００４１】
次に、第一の実施形態の変形例について説明する。
【００４２】
従来の屋外施設では、催しを認知していなかった人も会場から漏れ流れてくる音につられて会場に足を運ぶという副次的効果が少なからず認められる。一方、上記実施形態の会場施設１０では、音漏れを敢えて抑制する設備のため、従来の屋外施設のような副次的効果は当てにせず、本施設の応用を以って代替効果を創出できる。すなわち、会場までの誘導路（通路）Ｗに指向性スピーカーを設けて、会場内と同じ音声を出力、或いは会場内へ足を運びたくなるような告知音声を出力できるようにし、参加客を促す導線を作り出してもよい。
【００４３】
また、誘導路Ｗにおいても、誘導路Ｗの外との境に、エアーシャッター３５を設けることで更なる音漏れの抑制ができる。これらを以って、誘導路Ｗの直下に行くまでは無音同然、或いは従来の会場に比べて格段に音漏れを抑制或いは更なる低減ができるため、周辺環境への干渉が避けられる。
【００４４】
なお、誘導路Ｗに設けるスピーカーは、必ずしも指向性スピーカーでなくてもよい。
【００４５】
＜第二の実施形態＞
次に、第二の実施形態について説明する。上記実施形態と同様の構成については説明を省略することがある。
【００４６】
図４は、第二の実施形態に係る会場施設１１の平面図である。
【００４７】
会場施設１１は、中央のステージ１３には、複数のステージ（例えば、Ａ，Ｂ，Ｃ，Ｄの４つのステージ）が設定されている。１つのステージ台が複数に区分され、複数のステージを形成していてもよいし、別個のステージ台が設けられていてもよい。
【００４８】
そして、それぞれのステージＡ，Ｂ，Ｃ，Ｄで別個のショーが行われる。それぞれのショーでは、電子楽器等の直接発生する音の小さい楽器が使用される。そのため、各ステージの音が干渉し合う事はない。
【００４９】
なお、ステージＡ，Ｂ，Ｃ，Ｄの間に防音のために壁を設け区切ってもよい。または、上述したエアーシャッターを設けることもできる。
【００５０】
指向性スピーカー２０の各々は、各ステージのいずれかに対応づけられている。具体的には、ステージごとに、そのステージを観覧するエリアが定められ、そのエリアに属する複数の指向性スピーカー２０は、そのステージの音声が出力されるように、各機器が接続され、対応づけられている。図４の平面図においては、ステージＡ，Ｂ，Ｃ、Ｄが想定している聴衆は、それぞれ、図面に向かって、会場の左上の領域、右上の領域、左下の領域、右下の領域にいる聴衆である。そのため、それぞれの領域に設置された指向性スピーカー２０は、ステージＡ，Ｂ，Ｃ、Ｄにそれぞれ対応づけられている。
【００５１】
以上、第二の実施形態の会場施設１１について説明した。本実施形態の会場施設１１によれば、一つの会場でありながら、音の混じり合いを抑制或いは制御しながら、複数のショーを開催することができる。例えば、ステージＡでは、若者向けのライブ演奏が行われ、ステージＢでは、子供向けの演劇が行われ、ステージＣでは、年配者向けの演歌が歌われるなどとすることができる。家族連れで訪れて、それぞれの好みに応じたステージを楽しむことができる。
【００５２】
さらに、お互い離れていながら、お互いが見える位置に居て、お互いの存在を確認しながらそれぞれ異なるショーを楽しむということも可能となる。
【００５３】
異なるショーを同時に行えるステージを広場の中央に設置することが可能であり、聴衆は、他のステージの盛り上がりなども把握しやすい。そのため、面白そうだと思うステージを見るために簡単に移動することができる。
【００５４】
また、異なるショーを行うステージを隣接させることができるので、ショーの間に一人の司会が異なるステージ間を行き来することも可能である。
【００５５】
なお、各ステージの聴衆領域の境近辺では、設定場所や機材調整などに由来して音の混じり合いが生じることも想定し得る為、次のようにしてもよい。例えば、各ステージの聴衆領域の境近辺の指向性スピーカー２０の音量を、境目付近ではない指向性スピーカー２０の音量に比べて小さくする。または、各ステージの聴衆領域の境近辺の指向性スピーカー２０の最大音量を、境目付近ではない指向性スピーカー２０の最大音量に比べて小さくする。
【００５６】
また、極端に大きい音の演奏と、極端に小さい音の演奏とが同時に異なるステージで、かつ隣接して行われた場合、小さい音の演奏を聞きたい聴衆に、大きい音の演奏が混じり合ってしまう可能性がある。そこで、音量制御装置（アンプ、ミキサー等）によって、聴衆領域の音量の差が所定以内となるように、制御してもよい。例えば、各ステージで取得した音声信号が所定音量より小さい音量の場合は、所定の大き目の音量に調節し、逆に、所定音量より大きい音量の場合は所定の小さ目の音量に調節し、聴衆領域の音量の差が所定の範囲に収まるようにする。
【００５７】
また、各ステージの聴衆領域の境近辺において、吸音材３０の設置量を多くしてもよい。具体的には、各ステージの聴衆領域の境近辺の吸音材３０の厚さを、境目付近ではない吸音材３０の厚さに比べて厚くし、吸音効果をより高くする。こうすれば、反射による音も混じり合いを効果的に抑制することができる。
【００５８】
以上、本願発明の実施形態の例について説明した。本願発明は、上記実施形態に限定されない。また、各実施形態及び変形例の各構成要素は、自由に組み合わせることが可能である。
【符号の説明】
【００５９】
１０，１１  会場施設
１２，１３  ステージ
２０  指向性スピーカー
２５  渡し部材
３０  吸音材
３５  エアーシャッター
３５１  空気排出装置
３５２  空気吸引装置
Ａ〜Ｄ  ステージ
Ｔ  建物
Ｗ  誘導路
Ｐ  広場
【図１】
2018107678.tif 000003
【図２】
2018107678.tif 000004
【図３】
2018107678.tif 000005
【図４】
2018107678.tif 000006